(57)【要約】  包装袋（１００）は、少なくとも１種の内容物を収容するようなパウチ（１）を有し、前記パウチ（１）は、内容物を取り出すための出口（２）と、パウチ（１）に部分的に取着され、出口（２）で自由な片（８ａ、８ｂ）が残るようにパウチ（１）から部分的に分離された内層（６ａ、６ｂ）と、を備えられ、自由な片（８ａ、８ｂ）は、前記内容物を収容するために充填可能な無菌のハウジング（９）を密閉するためのシールされる膜（１１）を得るために接着されることが可能であり、スパウト（１３）は、無菌のハウジング（９）から離れて設置され、パウチに固定される。
2013500215.tif 000002
【特許請求の範囲】
【請求項１】
パウチ（１）の自由な縁部（３）によって縁取られ、内容物を取り出すための出口（２）と、
パウチ（１）の内側に配置された第１の内層（６ａ）と、を具備し、
前記第１の内層（６ａ）は、パウチ（１）から分離された自由な片（８ａ）を有するようにパウチ（１）の第１の壁（１９ａ）に部分的に取着されて、パウチ（１）の充填され得る無菌のハウジング（９）を密閉するためのシールされる膜（１１）を得るために、パウチ（１）の第２の壁（１９ｂ）に動作可能なように接着可能であり、
前記第１の内層（６ａ）は、前記出口（２）の付近で、スパウト（１３）を受けるように構成された座部（１２）を規定し、
前記座部（１２）は、前記膜（１１）及びパウチ（１）の前記自由な縁部（３）によって境界が定まるような、少なくとも1種の内容物を収容するためのパウチ（１）において、
パウチ（１）の内側に配置された第２の内層（６ｂ）を具備し、
前記第２の内層（６ｂ）は、パウチ（１）から分離された前記自由な片（８ｂ）を有するように前記第２の壁（１９ｂ）に部分的に取着されて、前記シールされる膜（１１）を得るために、前記第１の内層（６ａ）の前記自由な片（８ａ）に接着可能である、前記第２の内層（６ｂ）を具備することを特徴とする少なくとも1種の内容物を収容するためのパウチ（１）。
【請求項２】
前記第１の内層（６ａ）の前記自由な片（８ａ）は、パウチ（１）の前記第２の壁（１９ｂ）に直接的に接着可能である請求項１のパウチ（１）。
【請求項３】
前記第１の内層（６ａ）を構成する素材は、パウチ（１）を形成しているその他の素材の融点より低い融点を有する請求項１のパウチ（１）。
【請求項４】
前記第１の内層（６ａ）及び第２の内層（６ｂ）を構成する夫々の素材は、同一であり、且つパウチ（１）を形成しているその他の素材の融点より低い融点を有する請求項１のパウチ（１）。
【請求項５】
複数の異なる内容物を収容するような、複数の部屋（１６）に前記無菌のハウジング（９）を分割する少なくとも第２のシールされる膜（１５）をさらに有する請求項１乃至４のいずれか１のパウチ（１）。
【請求項６】
パウチ（１）は、互いに重ねられ、且つ共通の周辺の境界（５）で部分的にシールされた１対のラミネート加工されたシート（４ａ、４ｂ）によって形成され、
これらのラミネート加工されたシート（４ａ、４ｂ）の各々は、前記第１及び第２の内層（６ａ、６ｂ）の内の一方と、パウチ（１）の外面を規定している外層（７ａ、７ｂ）と、によって形成される請求項１乃至５のいずれか１のパウチ（１）。
【請求項７】
前記ラミネート加工されたシート（４ａ、４ｂ）の各々は、少なくとも中間層を、即ち関連する、前記第１及び第２の内層（６ａ、６ｂ）と、前記外層（７ａ、７ｂ）と、の間に設けられたコーティングを、さらに有する請求項６のパウチ（１）。
【請求項８】
請求項１乃至７のいずれか１のパウチ（１）と、パウチ（１）の前記座部（１２）中に配置され、パウチ（１）に固定されたスパウト（１３）とを有する包装袋（１００）。
【請求項９】
前記スパウト（１３）は、前記シールされる膜（１１）が配置された入口開口部（１３ｂ）と、キャップ（１７）によって密閉され得る出口開口部（１３ａ）と
を有する請求項８の包装袋（１００）。
【請求項１０】
内容物を取り出す出口を有し、内容物を収容するためのハウジング（９）を得るように、少なくとも1枚のシート（４）を成形する工程と、
前記ハウジング（９）の内側に少なくとも第１の内層（６a）を配置する工程と、を具備するパウチ（１）を製造するための方法であって、
前記第１の内層（６ａ）は、パウチ（１）の第１の壁（１９ａ）に部分的に取着されて、
パウチ（１）から分離された自由な片（８ａ）を有し、
充填された後に前記ハウジング（９）を密閉するか、数種の異なる物質のままで収容するために前記ハウジング（９）を複数の部屋（１６）に分割するためのシールされる膜（１１、１５）を得るために、前記自由な片（８ａ）は、パウチ（１）の第２の壁（１９ｂ）に動作可能に接着可能であり、
少なくとも１種の内容物を収容するためのパウチ（１）を製造するための方法において、
前記ハウジング（９）の内側に第２の内層（６ｂ）を配置する工程をさらに具備し、
この第２の内層（６ｂ）は、パウチ（１）の前記第２の壁（１９ｂ）に部分的に取着されて、パウチ（１）から分離された自由な片（８ｂ）を有し、
前記第２の内層（６ｂ）は、前記シールされる膜（１１）を得るように、前記第１の内層（６ａ）の自由な片（８ａ）に接着可能である、ことを特徴とする少なくとも１種の内容物を収容するためのパウチ（１）を製造するための方法。
【請求項１１】
前記少なくとも1枚のシート（４）を成形する工程は、２枚のラミネート加工されたシート（４ａ、４ｂ）を互いに重ねて、パウチ（１）を形成するように共通の周辺の境界（５）でこれらのラミネート加工されたシートをシールする工程を具備し、
前記ラミネート加工されたシート（４ａ、４ｂ）の各々は、前記第１及び第２の内層（６ａ、６ｂ）の一方と共に、パウチ（１）の外側の表面を規定している外層（７ａ、７ｂ）と、によって形成されている請求項１０の方法。
【請求項１２】
内容物を収容するためのハウジング（９）を得るために少なくとも１枚のシート（４）を成形する工程を具備し、
前記ハウジング（９）は、前記内容物を取り出すための出口（２）を有し、
この出口（２）は、パウチ（１）の自由な縁部（３）によって縁取られる、少なくとも１種の内容物で充填される包装袋（１００）を製造する方法において、
パウチ（１）から分離された自由な片（８ａ）を有するように、第１の内層（６ａ）が、パウチ（１）の第１の壁（１９ａ）に部分的に取着され、
前記ハウジング（９）の内側に少なくとも前記第１の内層（６ａ）を配置する工程と、
所定の量の内容物で前記ハウジング（９）を無菌状態で充填する工程と、
無菌状態が維持されるように、充填された前記ハウジング（９）を密閉するためのシールされる膜（１１）を得るために、前記ハウジング（９）が、パウチ（１）の第２の壁（１９ｂ）に前記第１の内層（６ａ）の前記自由な片（８ａ）を接着する工程と、
前記出口（２）の付近で、前記膜（１１）と、パウチ（１）の前記自由な縁部（３）と、によって境界が定まる、座部（１２）の中にスパウト（１３）を設置される工程と、
を具備することを特徴とする少なくとも１種の内容物で充填される包装袋（１００）を製造する方法。
【請求項１３】
パウチの前記第２の壁（１９ｂ）に部分的に取着されて、パウチ（１）から分離された自由な片（８ｂ）を有するように、前記ハウジング（９）の内側に内層（６ｂ）を配置する工程と、
前記第１及び第２の内層（６ａ、６ｂ）の前記自由な片（８ａ、８ｂ）を接着するように、前記シールされる膜（１１）を得るための工程とをさらに具備する請求項１２の方法。
【請求項１４】
前記第１の内層（６ａ）を構成する素材が、パウチ（１）を形成するその他の素材の融点よりも低い融点を有する請求項１０若しくは１２の方法。
【発明の詳細な説明】
【技術分野】
【０００１】
本発明は、少なくとも1種の内容物を収容するためのパウチと、このパウチを有する包装袋(packaging bag)と、この包装袋を製造するための方法に関する。
【０００２】
この包装袋は、特に、食品若しくは医薬品の分野で応用されている。この包装袋に収容された内容物は、特に、液体若しくは粉末であり得る。
【背景技術】
【０００３】
既知のように、包装袋は、空で提供されるか（この場合、“パウチ”と称される）、収容された内容物で既に充填され、且つスパウト(spout)を有し得る。一般的に、このようなパウチは、プラスチック、コーティングされた紙若しくはコーティングされた箔のような、柔軟なシート素材を成形することによって得られる。特に、２枚のシートが、互いに重ねられ、そしてこれらのシート自体の外周の対応する区域でシールされる課題解決が、開示されてきた。外周の他の区域は、スパウトを挿入するための開口を規定するために、シールされないままにされる。次に、狭い菱形形状であり、開口の内側に挿入されるスパウトの一部分は、開口を規定しているシートの一端部にシールされている。次に、空のパウチは、スパウトの密閉されていない出口（使用者が、収容した内容物を取り出す）を通るノズルを通すことによって充填される。最後に、スパウトの密閉されていない出口は、キャップによって密閉される。
【０００４】
これらの課題解決の主問題は、パウチの内側に完全な無菌の状態を得ることの困難さに帰結される。
【０００５】
実際に、収容された内容物の品質の維持を保障するために、パウチの内部は、無菌にされなければならず、且つ密閉して、外部から隔離されなければならない。事実問題として、先行技術の課題解決は、外部の汚染物質からの汚染の高いリスクを引き起こす。実際には、スパウトの密閉されていない出口は、パウチが充填された後にキャップによって塞がれる。キャップの利用は、収容された内容物が吐出することを防ぐが、僅かに酸素及び光が、出口を通る可能性があるのでハーメチックバリアを提供しない。
【０００６】
生じる技術的問題は、スパウトの形状のためにスパウトを滅菌することの困難さに帰結される。実際に、菱形形状部には複数の鋭端部が存在するので、スパウトの菱形形状部は、滅菌することが容易ではない。さらに、鋭端部を有するスパウトの菱形形状部は、密封の問題も生じる。さらに、パウチにスパウトの菱形形状部を適用した後に、（密閉するもの即ちキャップを伴った）スパウトを滅菌することは、さらに困難である。
【０００７】
他の既知の課題解決の問題は、多くの時間及び費用の浪費をもたらすような、スパウトを備えている包装袋の全体を滅菌することの必要性に関する。パウチ及びスパウトを滅菌するために、実際には、化学薬品若しくは電子照射若しくはガンマ線が、一般的に使用される。
【０００８】
パウチにスパウトをシールする前にパウチが充填されるような、他の課題解決が、開示されている。このような課題解決も、汚染の高いリスクを引き起こす。実際に、スパウトのシール工程の間に、多少の内容物が、パウチの外に漏れ出す可能性がある。さらに、収容された内容物の酸化の原因となるような、酸素が、パウチの内側に残存する可能性がある。
【０００９】
前述の先行技術の問題を解決するために、本発明が基礎とする技術的課題は、少なくとも１種の内容物を収容するためのパウチと、このパウチを備えた包装袋と、パウチを製造する方法と、を提供することである。
【発明の概要】
【００１０】
本発明の目的は、特に、完全な無菌状態を容易及び安価に得るために、少なくとも１種の内容物を収容するためのパウチと、このパウチを製造するための方法と、を提供することである。
【００１１】
さらなる本発明の目的は、スパウトの滅菌に関連した問題が容易に克服されるような、少なくとも１種の内容物を収容するための包装袋と、この包装袋を製造するための方法と、を提供することである。
【００１２】
他の本発明の目的は、スパウトがパウチに容易にシールされるような、少なくとも１種の内容物を収容するための包装袋と、この包装袋を製造するための方法と、を利用可能にすることである。
【００１３】
さらに他の本発明の目的は、既知の問題解決に関連して滅菌の時間及び費用が軽減されるような、少なくとも１種の内容物を収容するような包装袋と、この包装袋を製造するための方法と、を利用可能にすることである。
【００１４】
前述された技術的課題及び目的は、１若しくは複数の請求項に記載した技術的な特徴を有するような、パウチを備えた包装袋と、この包装袋を製造するための方法と、少なくとも１種の内容物を収容するようなパウチとによって実質的に達成される。
【００１５】
添付した図面に示されるように、さらなる特徴及び本発明の効果は、少なくとも１種の内容物を収容するようなパウチと、このパウチを備えた包装袋と、この包装袋を製造するための方法と、について好適であるが排他的でない実施の形態を表示され、つまり限定されない、内容から容易にわかる。
【図面の簡単な説明】
【００１６】
【図１】図１は、本発明に係る、開口している構造で少なくとも１種の内容物を収容するためのパウチの斜視図である。
【図２】図２は、シールされた構造での図１のパウチの斜視図である。
【図３】図３は、シールされた構造での図１のパウチの断面図である。
【図４】図４は、図１のパウチの細部（ラミネート加工されたシート）の斜視図である。
【図５】図５は、本発明に係る、包装袋の斜視図である。
【図６】図６は、図５の包装袋の断面図である。
【図７】図７は、図５の包装袋の細部の断面図である。
【図８】図８は、図５の包装袋の細部の断面図である。
【図９】図９は、図５の包装袋の正面図である。
【発明を実施するための形態】
【００１７】
図を参照すると、符号１は、少なくとも1種の内容物を収容するためのパウチを示す。１つの例として、このパウチ1に収容される内容物は、液体である。好ましくは、この内容物は、水、お茶、ミルク、ジュース、などである。他の例では、内容物が、医薬品である。
【００１８】
このパウチは、この内容物を取り出すために、パウチ１の自由な縁部３に縁取られた出口２を有している。空のパウチ１は、以下の２つの方向に実質的に伸びている(この厚さは、簡素化のために図示されていない)。第１の方向ｄ１は、取り出す工程の間の内容物の流れによって実質的に規定され、第２の方向ｄ２は、この第１の方向ｄ１に実質的に直交している。第１の方向ｄ１に従って、パウチ１が長手方向に伸び、さらに、第２の方向ｄ２に従って、パウチ１が横手方向に伸びている。図示されている実施の形態では、第１の方向ｄ１についてパウチ１の出口２の反対側に、パウチ１の底部１ａがある。
【００１９】
パウチ１は、このパウチの内側に配置された少なくとも第１の内層６ａを有している。パウチ１から分離された自由な片８ａを有するように、第１の内層６ａは、パウチ１の第１の内壁１９ａに一部分が取着されている。好ましくは、パウチ１の充填可能な無菌のハウジング（housing）９を密閉するようにシールされる膜１１を得るために、この自由な片８ａは、パウチ１の第２の内壁１９ｂへ動作可能なように接着可能である。好ましくは、この第２の内壁１９ｂは、第１の内壁１９ａに対して向かい側にある。第１のシールされる膜とも呼称されるような、シールされる膜１１は、シールされる膜１１及びパウチの自由な縁部３によって境界が定められた座部１２で規定されるような出口２の付近に得られる。この座部１２は、スパウト１３を中に受けるように構成されている。
【００２０】
パウチ１の一実施の形態において（図示せず）、第１の内層６ａの自由な片８ａは、第２の壁１９ｂへ直接的に接着可能である。
【００２１】
パウチ１は、少なくとも１枚のシート４を成形することによって得られる。好ましくは、ハウジング９は、シート４によって規定されている。記載及び図示された実施の形態において、２つのラミネート加工された（laminated）シート４ａ、４ｂは、互いに重ねられて、パウチ１を形成するように共通の周辺の境界５で合わされて部分的にシールされている。
【００２２】
図３に示される実施の形態において、パウチ１は、パウチ１の内側に配置された第２の内層６ｂも有する。好ましくは、２枚のラミネート加工されたシート４ａ、４ｂの各々は、内層６ａ、６ｂの一方と、各外層７ａ、７ｂと、によって構成されている。これらの外層７ａ、７ｂは、パウチ１の外側の表面を規定している。第１の内壁１９ａ及び第２の内壁１９ｂは、外層７ａ及び７ｂの内側を形成している。各ラミネート加工されたシート４ａ、４ｂの内層６ａ、６ｂ及び外層７ａ、７ｂの間に、少なくとも中間の層、又はコーティングが存在し得る。例えば、このコーティングは、塗料によって形成されている。
【００２３】
第２の内層６ｂは、パウチ１から分離された自由な片８ｂを有するように第２の壁１９ｂに部分的に取着されている。好ましくは、図３に示すように、内層６ａ、６ｂの自由な片８ａ、８ｂは、シールされる膜１１を得るように接着されることが可能である。
【００２４】
本実施の形態に記述及び図示されているように、内層６ａ、６ｂは、パウチ１の自由な縁部３の付近に伸びている。各内層６ａ、６ｂは、第２の方向ｄ２と実質的に平行な主取着領域１０ａに沿って、対応する外層７ａ、７ｂ（若しくは、もし存在するならば、中間層、又はコーティングと）にシールされている。同様に各内層６ａ、６ｂは、主取着領域１０ａに対して横方向で、且つ互いに向かい合って配置されている両側の取着領域１０ｂに沿って、対応する外層７ａ、７ｂ（若しくは、もし存在するならば、中間層、又はコーティング）にシールされている。特に、両側の取着領域１０ｂは、これらのラミネート加工されたシート４ａ、４ｂの外周に形成されている。内層６ａ、６ｂの自由な片８ａ、８ｂは、関連する取着領域１０a、１０ｂに囲まれて伸びている。
【００２５】
他の実施の形態において（図示せず）、内層６ａ、６ｂは、対応する外層７ａ、７ｂ（若しくは、もし存在するならば、中間層、又はコーティング）に部分的にのみ取着しているラミネート加工されたシート４ａ、４ｂの展開部の全体渡って伸びている。さらに、対応する外層７ａ、７ｂから分離された対応する自由な片８ａ、８ｂが残るように、各内層６ａ、６ｂは、ハウジング９の展開部の表面で、且つ対応する両側の取着領域１０ｂに沿って、対応する外層７ａ、７ｂ（若しくは対応する中間層、又はコーティング）に取着されている。
【００２６】
好ましくは、第１の内層６ａ及び第２の内層６ｂは、同一の素材によって形成されている。この素材は、パウチ１を形成する他の素材の融点よりも低い融点を有する。特に、内層６ａ、６ｂを構成している素材は、ポリエチレンであり、さらに外層７ａ、７ｂを構成している素材は、テレフタル酸ポリエチレンである。
【００２７】
さらに実施の形態において、複数の異なる内容物のままで収容するために、少なくとも１の膜即ち第２のシールされる膜１５が、複数の部屋１６にパウチ１の無菌のハウジング９を分割している。好ましくは、第２のシールされる膜１５は、第２の方向ｄ２に平行となるように、パウチ１の底部１ａと、第１のシールされる膜１１と、の間に設置されている。例えば、第２のシールされる膜１５は、底部１ａ及び第１のシールされる膜１１から同じ距離に設置されている。他の方法として、第２のシールされる膜１５が、第１の方向ｄ１に平行になるようにパウチ１の内側に配置されている。
【００２８】
隔膜、即ちさらなるシールされる膜実施の形態が、提供されている（図示せず）。この場合、隔膜は、パウチ１の底部１ａと第１のシールされる膜１１との間の複数の位置に設置され、これらの膜は、互いに実質的に平行に（第２の方向ｄ２に）並べられている。部屋１６に収容される物質は、液体若しくは粉末であり得る。
【００２９】
他の実施の形態では（図示せず）、パウチ１が、補助の自由な縁部によって縁取られ、パウチ１の底部１ａに対応する位置に設けられた補助の出口を有するように供給されている。この場合、内層６ａ、６ｂは、補助の出口に対応するパウチ１から分離された補助の自由な片を残す。好ましくは、補助の自由な片は、補助のスパウトを受けるように構成された補助のシートからハウジング９を分離する補助のシールされる膜を得るために接着されることが可能である。補助のシートは、特に、補助の膜及びパウチ１の補助の自由な縁部によって境界が定められる。スパウト１３及び補助のスパウトは、同じハウジング９に通じることが可能であり、若しくはこれらのスパウトと補助のスパウトとは、異なる部屋に通じている。
【００３０】
図５において、符号１００は、パウチ１と、パウチ１の座部１２に設置され、且つ座部１２に固定されたスパウト１３と、を有する包装袋を示す。
【００３１】
好ましくは、スパウト１３は、出口開口部１３ａ及び入口開口部１３ｂを有している。出口開口部１３ａは、特に、キャップ１７によって密閉され得る。好ましくは、この出口開口部１３ａには、おねじが形成され、さらにキャップ１７には、出口開口部１３ａで締められるようにめねじが形成されている。他側で、入口開口部１３ｂが、シールされる膜１１に配置されている。他の実施の形態において（図示せず）、スパウトは、キャップ１７を取り外すために第１のシールされる膜１１と密着するように構成されたブレード（ｂlade）が備えられている。
【００３２】
本発明に係わるパウチ及び包装袋を製造するための方法が以下に説明される。
【００３３】
ハウジング９は、シート４を成形することによって得られる。好ましくは、２つのラミネート加工されたシート４ａ、４ｂは、互いに重ねられ、パウチ１、即ちハウジング９を形成するように共通の周辺の境界５で部分的にシールされている。
【００３４】
第１の内層６ａは、第１の内壁１９ａに部分的に取着されて、パウチ１から分離された自由な片８ａが残るようにハウジング９の内側に配置されている。
【００３５】
第２の内層６ｂが存在する場合には、第２の内層６ｂは、第２の内壁１９ｂに部分的に取着されて、パウチ１から分離された自由な片８ｂが残るようにハウジング９の内側に配置されている。
【００３６】
図示及び記載した実施の形態において、特に、出口２に対応する部分で、パウチ１から分離された自由な片８ａ、８ｂを残すように、各内層６ａ、６ｂは、対応する外層７ａ、７ｂに部分的にシールされている。図４に示されるように、各内層６ａ、６ｂは、主取着領域１０ａ及び側面の取着領域１０ｂに沿って、対応する外層７ａ、７ｂにシールされている。
【００３７】
パウチ１は、前記の既知の形態であると同時に、ハウジング９は、はじめに多量の内容物を無菌で充填される。この内容物は、（内容物を充填すること及び取り出すことに使い分けられる）出口２を通過してハウジング９に流れ込む。
【００３８】
包装袋１００が、異なる内容物を収容するように意図されるならば、ハウジング９は、複数の部屋１６に分割される。さらに、図６に示されるように、内層６ａ、６ｂの異なる部分は、複数の部屋１６にハウジング９を分割するための第２のシールされる膜１５を得るために、密閉される。
【００３９】
前記複数の部屋１６は、複数の異なる内容物のままで充填される。
【００４０】
（図８に示されているように）第１の内層６ａのみが存在する場合、第１の内層６ａの自由な片８ａは、第１のシールされる膜１１を得るために第２の内壁１９ｂに直接的にシールされるので、パウチ１は、シールされた構造になる。従って、充填された無菌のハウジング９は、座部１２から分離される。座部１２は、特に、雑菌混入から保護されない。
【００４１】
出口１３は、座部１２の内側に設置され、且つ座部１２に固定される。スパウト１３の入口開口部１３ｂは、特に、シールされる膜１１の内側に設置される。スパウト１３の出口開口部１３ａはキャップ１７によって閉じられる。
【００４２】
ブレードが存在するならば、ブレードが、前記膜１１を切り取るために膜１１に対して押され得るように、このブレードは、第１のシールされる膜１１の方を向いている。
【００４３】
他の方法として、図７に示されるように、膜１１は、ストロー１８によって切り取られ得る。
【００４４】
前述から、本発明に係わる、少なくとも１種の内容物を収容するためのパウチと、このパウチを備えた包装袋と、この包装袋を製造するための方法と、の特徴は、上記の効果のように、明確である。
【００４５】
特に、シートから無菌のハウジングを分離するためのシールされる膜の採用により、パウチに対する完全な無菌の状態が容易に得られる。
【００４６】
さらに、スパウトは、ハウジングを充填した後でのみ、膜によってハウジングをシールされた包装袋に取り付けられるので、スパウトに関連した滅菌問題は、克服される。さらに、充填する工程では、（この工程で設置されていない）スパウトを通さずにパウチの内側にノズルが挿入される。従って、懸案事項は、包装袋全体ではなく、パウチを滅菌することに関することのみなので、コスト及び時間が、削減される。
【００４７】
加えて、スパウトは、パウチへ容易にシールされる。さらにスパウトは、（無菌ではない）座部の中に設置され、且つパウチの自由な縁部の間にシールされる。
【図１】
2013500215.tif 000003
【図２】
2013500215.tif 000004
【図３】
2013500215.tif 000005
【図４】
2013500215.tif 000006
【図５】
2013500215.tif 000007
【図６】
2013500215.tif 000008
【図７】
2013500215.tif 000009
【図８】
2013500215.tif 000010
【図９】
2013500215.tif 000011
【国際調査報告】
2013500215.tif 000012
2013500215.tif 000013
2013500215.tif 000014